(57)【要約】【課題】カメラの向きを変える方法以外に、ユーザーの操作によって撮影方向を変更できるカメラ、ならびに、このようなカメラを有する携帯端末装置を提供すること。【解決手段】このカメラは、投射された映像を電気信号に変換する撮像部（５３）と、入射光を屈曲させて撮像部へ導く屈曲素子（５１）と、屈曲素子を回動可能な駆動部（４１）と、外部から操作指令を入力する操作部と、操作部からの入力に応じて駆動部を駆動させる制御部とを具備する構成を採る。【選択図】図３
2013246313.tif 000002
【特許請求の範囲】
【請求項１】
投射された映像を電気信号に変換する撮像部と、
入射光を屈曲させて前記撮像部へ導く屈曲素子と、
前記屈曲素子を回動可能な駆動部と、
外部から操作指令を入力する操作部と、
前記操作部からの入力に応じて前記駆動部を駆動させる制御部と、
を具備するカメラ。
【請求項２】
前記駆動部は、２つの異なる向きに前記屈曲素子を回動可能である、
請求項１記載のカメラ。
【請求項３】
前記屈曲素子および前記屈曲素子と前記撮像部との間に設けられた複数の光学系が一体化されたカメラユニットを具備し、
前記駆動部は、
前記カメラユニットを回動可能である、
請求項１記載のカメラ。
【請求項４】
前記屈曲素子および前記屈曲素子と前記撮像部との間に設けられた複数の光学系が一体化されたカメラユニットを具備し、
前記駆動部は、
前記カメラユニット内で前記屈曲素子を回動可能な第１駆動部と、
前記屈曲素子を含めて前記カメラユニットを回動可能な第２駆動部と、
を有する、
請求項１記載のカメラ。
【請求項５】
前記第２駆動部は、２つの異なる向きに前記カメラユニットを回動可能である、
請求項４記載のカメラ。
【請求項６】
前記カメラユニットには、
ズームレンズおよび前記ズームレンズを駆動するズーム駆動部が設けられている、
請求項３または４記載のカメラ。
【請求項７】
前記撮像部により得られたプレビュー画像を表示する表示部を具備し、
前記制御部は、
前記操作部から前記プレビュー画像をスライドさせる操作指令が入力された場合に、スライド方向に応じて前記駆動部を駆動させる、
請求項１記載のカメラ。
【請求項８】
前記撮像部により得られたプレビュー画像を表示する表示部を具備し、
前記制御部は、
前記操作部から前記プレビュー画像の任意の位置を中心とした伸縮指令が入力された場合に、前記任意の位置に応じた前記駆動部の駆動と、前記伸縮指令に応じたズーム駆動部の駆動とを行う、
請求項６記載のカメラ。
【請求項９】
前記制御部は、
前記操作部から入力された操作指令に基づく撮影方向の変更量の大小に応じて、前記第１駆動部を駆動させるか、或いは、前記第２駆動部を駆動させるかを判別する、
請求項４記載のカメラ。
【請求項１０】
請求項７記載のカメラを有する携帯端末装置。
【発明の詳細な説明】
【技術分野】
【０００１】
本発明は、カメラおよび携帯端末装置に関する。
【背景技術】
【０００２】
従来のデジタルカメラの中には、レンズまたは撮像素子をアクチュエータによって駆動して、手振れによる撮影画像のブレを軽減する手振れ補正機能が搭載されるものがある（例えば特許文献１を参照）。
【０００３】
また、カメラ機能を有する携帯端末装置では、装置の厚みが増えないように、カメラの光学系の中に反射面を設けて光路が９０°折り曲げられる構造が採用されることがある（例えば特許文献２を参照）。
【先行技術文献】
【特許文献】
【０００４】
【特許文献１】特公平０１−５３９５７号公報
【特許文献２】特開２００７−１５５９４８号公報
【発明の概要】
【発明が解決しようとする課題】
【０００５】
近年のデジタルカメラにおいては、操作部からの操作によって、例えばズーム倍率の変更など、撮影の構図を変化させる一部の操作を行うことができる。しかしながら、従来のデジタルカメラでは、撮影範囲または撮影方向を上下左右に変化させたい場合に、ユーザーは、カメラの向きを上下左右に傾けて対応するしかなかった。
【０００６】
本発明の目的は、カメラの向きを変える方法以外に、ユーザーの操作によって撮影範囲または撮影方向の調整を行えるカメラおよび携帯端末装置を提供することである。
【課題を解決するための手段】
【０００７】
本発明の一態様に係るカメラは、投射された映像を電気信号に変換する撮像部と、入射光を屈曲させて前記撮像部へ導く屈曲素子と、前記屈曲素子を回動可能な駆動部と、外部から操作指令を入力する操作部と、前記操作部からの入力に応じて前記駆動部を駆動させる制御部と、を具備する構成を採る。
【発明の効果】
【０００８】
本発明によれば、操作部を介したユーザーの操作によっても撮影範囲または撮影方向を変更することができる。
【図面の簡単な説明】
【０００９】
【図１】本発明の実施の形態のカメラの要部を示すブロック図
【図２】本発明の実施の形態のカメラの外観を示す正面図
【図３】（Ａ）はカメラユニットの構成を示す模式図、（Ｂ）はカメラユニットにおいてプリズムを回転させたときを示す模式図
【図４】カメラユニットを駆動する構成を示す模式図
【図５】プレビュー画像の縮小操作の一例（Ａ）およびその結果の画像（Ｂ）を示す図
【図６】プレビュー画像の拡大操作の一例（Ａ）およびその結果の画像（Ｂ）を示す図
【図７】プレビュー画像のスライド操作の一例（Ａ）およびその結果の画像（Ｂ）を示す図
【図８】カメラユニットの駆動制御処理の第１部を示すフローチャート
【図９】カメラユニットの駆動制御処理の第２部を示すフローチャート
【図１０】カメラユニットの駆動制御処理の第３部を示すフローチャート
【発明を実施するための形態】
【００１０】
以下、本発明の各実施の形態について図面を参照して詳細に説明する。
【００１１】
＜構成の説明＞
図１は、本発明の実施の形態のカメラの要部を示すブロック図である。
【００１２】
本発明の実施の形態のカメラ１は、例えばカメラ機能を有する携帯電話機である。この実施の形態のカメラは、図１に示すように、ディスプレイ１１、操作部としてのタッチパネル１２、制御部としてのプロセッサ１３、画像処理部２０、カメラユニット４０、カメラ駆動用モータ（第２駆動部に相当）３２、角速度センサ３３、および、モータ駆動回路３１、３４、３５等を備えている。
【００１３】
ディスプレイ１１は、液晶ディスプレイまたは有機ＥＬ（Electro Luminescence）ディスプレイなど、画像表示が可能な表示部である。ディスプレイ１１は、プロセッサ１３から表示データを入力して画像を表示出力する。
【００１４】
タッチパネル１２は、二次元エリアのタッチ操作を入力するもので、ディスプレイ１１上に配置されている。タッチパネル１２の検出信号には、タッチ操作された座標を示す信号が含まれる。タッチパネル１２は、複数個所のタッチ操作を同時に検出することが可能な構成である。
【００１５】
プロセッサ１３は、例えば、ＣＰＵ（中央演算処理装置）と記憶部とを有し、ＣＰＵが記憶部に格納された制御プログラムを実行することで装置全体の制御を行う。
【００１６】
カメラユニット４０は、詳細は後述するが、光学系および各種の駆動モータ等が一体化されてなり、撮影により映像を電気的に取り込んで映像信号を出力する。
【００１７】
画像処理部２０は、カメラユニット４０から送られてくる映像信号に対する各種の信号処理と、カメラユニット４０を駆動する駆動制御処理とを行う。画像処理部２０には、映像信号から画像データを生成する信号処理部に加えて、図１に示すように、ユニット制御部２１、ＯＩＳ（Optical Image Stabilization）制御部２２、プリズム制御部２３、ズーム制御部２４、ＡＦ（オートフォーカス）制御部２５等を備えている。
【００１８】
ユニット制御部２１は、プロセッサ１３の指令に基づいてカメラユニット４０を２つの方向に傾ける制御を行う。
【００１９】
ＯＩＳ制御部２２は、角速度センサ３３の出力に基づいて、撮影時における手ブレの検出を行う。さらに、ＯＩＳ制御部２２は、手ブレの検出に応じた駆動指令をプリズム制御部２３へ出力する処理を行って、手ブレを補正する制御を行う。
【００２０】
プリズム制御部２３は、詳細は後述するが、カメラユニット４０のプリズム５１を２つの方向に回転させる駆動制御を行う。プリズム制御部２３は、プロセッサ１３からの指令とＯＩＳ制御部２２からの指令とに基づいて駆動制御を行う。
【００２１】
ズーム制御部２４は、カメラユニット４０の第１群レンズ５２ａ〜第３群レンズ５２ｃのうち、例えば第１群および第２群レンズ５２ａ、５２ｂを変位させる駆動制御を行う。第１群および第２群レンズ５２ａ、５２ｂは、撮影映像を拡大または縮小するレンズ群である。ズーム制御部２４は、プロセッサ１３の指令に基づき駆動制御を行う。
【００２２】
ＡＦ制御部２５は、カメラユニット４０の第１群レンズ５２ａ〜第３群レンズ５２ｃのうち、フォーカス調整を行う例えば第３群レンズ５２ｃを変位させる駆動制御を行う。ＡＦ制御部２５は、プロセッサ１３の指令に基づきオートフォーカス処理を開始又は停止する。オートフォーカス処理が開始されると、ＡＦ制御部２５は、画像処理部２０における映像データの解析に基づいてフォーカスを調整する駆動制御を行う。
【００２３】
モータ駆動回路３１、３４、３５は、画像処理部２０からの制御信号に応じた駆動信号をモータ３２、４１、４２へそれぞれ出力する。
【００２４】
図２は本発明の実施の形態のカメラの外観を示す正面図、図３（Ａ）はカメラユニットの構成を示す模式図、（Ｂ）はカメラユニットにおいてプリズムを回転させたときを示す模式図、図４はカメラユニットを駆動する構成を示す模式図である。
【００２５】
図２に示すように、実施の形態のカメラ１には、被写体に向けられるカメラ窓２が筐体正面に設けられ、このカメラ窓２にカメラユニット４０の光の入射口が臨むようにカメラユニット４０が配置されている。ディスプレイ１１は、カメラ１の筐体背面に大きく広がるように配置されている。
【００２６】
カメラユニット４０には、図３に示すように、カメラ窓２に臨んで被写体に向けられる第１レンズ５０と、屈曲素子としてのプリズム５１と、ズームレンズとなる第１および第２群レンズ５２ａ、５２ｂと、フォーカスレンズとなる第３群レンズ５２ｃと、撮像部５３と、プリズム駆動用モータ４１と、レンズ駆動用モータ４２とが設けられている。
【００２７】
カメラユニット４０は、被写体からの光が、順次、第１レンズ５０、プリズム５１、第１〜第３群レンズ５２ａ〜５２ｃを経て、撮像部５３で結像する構成である。
【００２８】
撮像部５３は、ＣＣＤ（Charge-Coupled Device）又はＣＭＯＳ（Complementary Metal Oxide Semiconductor）イメージセンサなど、二次元のセンサ面を有し、センサ面に結像された映像を電気信号へ変換して取り込む。
【００２９】
プリズム５１は、カメラ窓２から入射される光の進路を９０°折り曲げて撮像部５３側へ送る。プリズム５１は、支点Ｐ０を中心に、２軸方向に回転可能な状態で保持されている。２軸方向とは、図２の補正軸Ａ１（ヨー軸）を中心とする回転方向、および、補正軸Ａ２（ピッチ軸）を中心とする回転方向であり、撮影方向を撮影面の上下左右に変化させる方向である。なお、プリズム５１の単体での回転中心（支点Ｐ０）と、カメラユニット４０の回転中心（支点Ｐ０）とは同一である必要はなく、少しずれていてもよい。
【００３０】
２つのプリズム駆動用モータ４１、４１は、補正軸Ａ１を中心にプリズム５１を回動させるモータ、および、補正軸Ａ２を中心にプリズム５１を回動させるモータである。プリズム駆動用モータ４１、４１は、例えばサーボモータからなり駆動量を制御することができる。
【００３１】
このような構成によれば、図３（Ａ）および図３（Ｂ）に示すように、プリズム５１が支点Ｐ０を中心に向きを変えることで、カメラ窓２に対して相対的に固定された被写体の映像を、撮像部５３の上下左右へ平行移動させることができる。プリズム５１の駆動は、撮影画像を平行移動させる制御と、手ぶれ補正の制御とに利用される。
【００３２】
第１〜第３群レンズ５２ａ〜５２ｃの光軸は、プリズム５１による光路の折り曲げによって、カメラ１の幅方向と平行になっており、この構成によってカメラ１の薄型化が図られている。
【００３３】
レンズ駆動用モータ４２は、第１〜第３群レンズ５２ａ〜５２ｃを光軸方向に変位させて撮影映像の拡大縮小およびフォーカス調整を行う。
【００３４】
カメラユニット４０は、図４に示すように、筐体の収容スペース３の中で支点Ｐ０を中心に、補正軸Ａ１および補正軸Ａ２（図２参照）の２軸方向に向きを変えられる状態に保持されている。
【００３５】
２つのカメラ駆動用モータ３２、３２は、補正軸Ａ１を中心にカメラユニット４０を回動させるモータ、および、補正軸Ａ２を中心にカメラユニット４０を回動させるモータである。カメラ駆動用モータ３２、３２は、例えばサーボモータからなり駆動量を制御することができる。
【００３６】
このような構成によれば、カメラユニット４０が支点Ｐ０を中心に向きを変えることで、撮影方向を撮影面の上下左右に変更することができる。すなわち、カメラユニット４０の向きの変更によって、カメラ窓２に向かって相対的に固定された被写体の映像が、撮像部５３の上下左右へ平行移動する。カメラユニット４０の回転の方が、プリズム５１の回転と比較して、比較的に大幅に映像を上下左右に平行移動させることができる。
【００３７】
＜動作の説明＞
本実施の形態のカメラ１では、プレビュー表示中に、ユーザーがタッチパネル１２を操作することで、プレビュー画像を光学的に拡大、縮小および平行移動して撮影の構図を調整することができる。プレビュー表示とは、撮像部５３により現在取り込まれている映像をディスプレイ１１に簡易表示する機能である。続いて、３パターンの操作について説明する。
【００３８】
図５は、プレビュー画像の縮小操作の一例（Ａ）およびその結果の画像（Ｂ）を示す図である。
【００３９】
一つ目の操作は、プレビュー画像の任意の箇所を中心に縮小させる操作である。例えば、図５（Ａ）に示すように、プレビュー表示中、ユーザーが、画像中心から外れた箇所に２本の指でタッチして、タッチしたまま２本の指の間隔を狭める操作を行ったとする。このような操作が行われると、図５（Ｂ）に示すように、タッチされた部位が画像中心に寄りつつプレビュー画像が縮小する。続いて、ユーザーが撮影の操作を行うことで、画像中心がスライドされ且つ縮小されたプレビュー画像を、撮影画像として取り込むことができる。
【００４０】
プレビュー表示のタッチされた部位を画像中心に寄せる動作は、カメラ駆動用モータ３２によるカメラユニット４０の向きの変更、或いは、プリズム駆動用モータ４１によるプリズム５１の回転によって実現される。画像の平行移動量が小さい場合には、プリズム５１の回転により対応することができ、画像の平行移動量が大きい場合には、カメラユニット４０の向きを変更して対応することができる。
【００４１】
また、画像の縮小は、レンズ駆動用モータ４２による第１および第２群レンズ５２ａ、５２ｂの変位により実現される。
【００４２】
図６は、プレビュー画像の拡大操作の一例（Ａ）およびその結果の画像（Ｂ）を示す図である。
【００４３】
二つ目の操作は、プレビュー画像の任意の箇所を拡大させる操作である。図６（Ａ）に示すように、プレビュー表示中に、画像中心から外れた箇所に２本の指でタッチして、タッチしたまま２本の指の間隔を広げる操作をユーザーが行ったとする。このような操作が行われると、図６（Ｂ）に示すように、タッチされた部位が画像中心に寄りつつプレビュー画像が拡大される。続いて、ユーザーが撮影の操作を行うことで、画像中心がスライドされ且つ拡大されたプレビュー画像を、撮影画像として取り込むことができる。
【００４４】
この場合も、プレビュー表示のタッチされた部位を画像中心に寄せる動作は、カメラ駆動用モータ３２によるカメラユニット４０の向きの変更、或いは、プリズム駆動用モータ４１によるプリズム５１の回転によって実現される。画像の平行移動量が小さい場合には、プリズム５１の回転により対応することができ、画像の平行移動量が大きい場合には、カメラユニット４０の向きを変更して対応することができる。
【００４５】
また、画像の拡大は、レンズ駆動用モータ４２による第１および第２群レンズ５２ａ、５２ｂの変位により実現される。
【００４６】
図７は、プレビュー画像のスライド操作の一例（Ａ）およびその結果の画像（Ｂ）を示す図である。
【００４７】
３つ目の操作は、プレビュー画像を拡大または縮小させずに任意の箇所を中央に移動させる操作である。図７（Ａ）に示すように、プレビュー表示中に、１本の指で画像の任意の箇所にタッチしてスライドさせる操作をユーザーが行ったとする。このような操作が行われると、図７（Ｂ）に示すように、操作に応じてプレビュー画像の中心が移動するように、プレビュー画像の全体がスライドする。続いて、ユーザーが撮影の操作を行うことで、画像中心がスライドされたプレビュー画像を、撮影画像として取り込むことができる。
【００４８】
このプレビュー画像をスライドさせる動作は、カメラ駆動用モータ３２によるカメラユニット４０の向きの変更、或いは、プリズム駆動用モータ４１によるプリズム５１の回転によって実現される。画像の平行移動量が小さい場合には、プリズム５１の回転により対応することができ、画像の平行移動量が大きい場合には、カメラユニット４０の向きを変更して対応することができる。
【００４９】
次に、上記のプレビュー表示を実現する制御処理の一例を説明する。
【００５０】
図８〜図１０は、カメラユニットの駆動制御処理の手順を示すフローチャートである。
【００５１】
このカメラユニット４０の駆動制御処理は、プレビュー表示中にタッチパネル１２から操作入力があった場合に、プロセッサ１３により開始される。プレビュー表示中に複数回の操作入力があれば、１回の操作入力ごとに、この駆動制御処理が実行される。プロセッサ１３は、この駆動制御処理と同時に、カメラユニット４０により取り込まれた映像をディスプレイ１１に表示するプレビュー表示処理、および、撮影操作またはその他の操作に応じる制御処理を並列的に実行する。
【００５２】
プレビュー表示中にタッチパネル１２から操作入力があって、図８〜図１０の制御処理が開始されると、プロセッサ１３は、操作入力がタッチパネル１２の２点以上のタッチ操作であるか否かを判別する（ステップ１０１）。
【００５３】
その結果、２点以上の操作であれば、プロセッサ１３は、ステップ１０２において、２点のタッチ位置の座標中心を、画面中央に移動させる駆動目標として求める。続いて、プロセッサ１３は、駆動目標と現状の画面中心の向き（カメラユニット４０の向きおよびプリズム５１の向き）とから、撮影方向を変更する駆動方向および駆動量を算出する（ステップ１０２）。
【００５４】
次いで、プロセッサ１３は、連続する操作入力から拡大操作（２点のタッチ位置が広げられる操作）か、縮小操作（２点のタッチ位置が狭められる操作）かを判別する（ステップ１０３、１１１）。その結果、拡大操作と判別されれば、プロセッサ１３の処理はステップ１０４へ移行し、縮小操作と判別されればステップ１１２へ移行する。また、何れでもないと判別されれば、プロセッサ１３は、この駆動制御処理を終了する（ステップ１１１の「ｎｏ」）。
【００５５】
拡大操作と判別されてステップ１０４へ移行したら、プロセッサ１３は、ステップ１０２で求めた駆動量からプリズム５１の駆動で対応できる範囲か否かを判別する（ステップ１０４）。
【００５６】
そして、範囲内であれば、プロセッサ１３は、ステップ１０２で求めた駆動方向および駆動量に応じた制御信号をモータ駆動回路３４に出力する（ステップ１０５）。この出力により、プリズム駆動用モータ４１、４１が駆動してプリズム５１が必要な角度だけ回転し停止する。そして、このプリズム５１の回転により、撮像部５３に投射される映像中の駆動目標が撮像部５３の中央に移動して、駆動目標がプレビュー画像の中央に移動する。
【００５７】
駆動用の制御信号を出力した後、プロセッサ１３は、プリズム駆動用モータ４１、４１の駆動により駆動目標が中央に移動する時間を待機する（ステップ１０７）。そして、駆動目標が中央に移動したら、プロセッサ１３は、ズームアップ用の制御信号をモータ駆動回路３５に出力する（ステップ１０９）。この出力により、ズーム変更用のレンズ駆動用モータ４２が駆動して第１および第２群レンズ５２ａ、５２ｂが一定量移動する。この移動により、撮像部５３に投射される映像およびプレビュー画像が一定倍率で拡大される。
【００５８】
その後、プロセッサ１３は、この駆動制御処理を終了する。
【００５９】
一方、ステップ１０４の判別処理で、プリズム５１の駆動で対応できる範囲でないと判別されたら、プロセッサ１３は、ステップ１０６、１０８、１１０において、上述したステップ１０５、１０７、１０９と同様の処理を実行して、プレビュー画像のスライド移動と拡大とを行う。但し、この場合には、プリズム５１を駆動する替わりに、プロセッサ１３は、カメラユニット４０の向きを変える駆動を行って（ステップ１０６）、プレビュー画像をスライド移動させる。その後、同様に、プロセッサ１３は、この駆動制御処理を終了する。
【００６０】
また、上記のステップ１０３、１１１の判別処理の結果、連続する操作入力が縮小操作であると判別されたら、プロセッサ１３は、ステップ１１２〜１１８において、プレビュー画像をスライド移動および縮小させる処理を実行する。
【００６１】
これらの処理は、ステップ１１７、１１８で、ズーム変更用のレンズ駆動用モータ４２を移動させる方向が縮小方向に替わっているだけで、上述したステップ１０４〜１１０の処理と同様である。
【００６２】
これらの処理が完了したら、プロセッサ１３は、この駆動制御処理を終了する。
【００６３】
また、上記のステップ１０１の判別処理の結果、操作入力がタッチパネル１２の１点のタッチ操作であると判別されると、プロセッサ１３は、ステップ１１９において、タッチ位置の座標を、画面中央に移動させる駆動目標として求める。続いて、プロセッサ１３は、駆動目標と現状の画面中心の向き（カメラユニット４０の向きおよびプリズム５１の向き）とから、撮影方向を変更する駆動方向および駆動量を算出する（ステップ１１９）。
【００６４】
次いで、プロセッサ１３は、ステップ１１９で求めた駆動量からプリズム５１の駆動で対応できる範囲か否かを判別する（ステップ１２０）。
【００６５】
そして、範囲内であれば、プロセッサ１３は、ステップ１１９で求めた駆動方向および駆動量に応じた制御信号をモータ駆動回路３４に出力する（ステップ１２１）。この出力により、プリズム駆動用モータ４１、４１が駆動してプリズム５１が必要な角度だけ回転し停止する。そして、このプリズム５１の回転により、撮像部５３に投射される映像中の駆動目標が撮像部５３の中央に移動して、駆動目標がプレビュー画像の中央に移動する。
【００６６】
駆動用の制御信号を出力した後、プロセッサ１３は、プリズム駆動用モータ（第１駆動部に相当）４１、４１の駆動により駆動目標が中央に移動する時間を待機する（ステップ１２３）。そして、駆動目標が中央に移動したら、プロセッサ１３は、この駆動制御処理を終了する。
【００６７】
一方、ステップ１２０の判別処理で、プリズム５１の駆動で対応できる範囲でないと判別されたら、プロセッサ１３は、ステップ１１９で求めた駆動方向および駆動量に応じた制御信号をモータ駆動回路３１に出力する（ステップ１２２）。この出力により、カメラ駆動用モータ３２、３２が駆動してカメラユニット４０が必要な角度だけ向きを変えて停止する。そして、このカメラユニット４０の向きの変更により、撮像部５３に投射される映像中の駆動目標が撮像部５３の中央に移動して、駆動目標がプレビュー画像の中央に移動する。
【００６８】
駆動用の制御信号を出力した後、プロセッサ１３は、カメラ駆動用モータ３２、３２の駆動により駆動目標が中央に移動する時間を待機する（ステップ１２４）。そして、駆動目標が中央に移動したら、プロセッサ１３は、この駆動制御処理を終了する。
【００６９】
以上のような駆動制御処理により、タッチ操作によって撮影の構図を変化させる処理が実現される。
【００７０】
以上のように、本実施の形態のカメラ１によれば、カメラ１の向きを固定的にしたまま、タッチパネル１２の操作によって、撮影方向の上下左右への変更を行うことができる。よって、ユーザーは、ディスプレイ１１のプレビュー画像に集中しながら撮影画像の構図の調整を行うことができる。
【００７１】
また、撮影方向の上下左右への変更は、プリズム５１の回転により実現される構成なので、レンズまたは撮像部の変位によって行う場合と比較して、撮影方向の変更量を大きくとることができる。
【００７２】
また、本実施の撮影のカメラ１によれば、撮影方向を上下左右へ変更する構成として、カメラユニット４０を回転させる構成が含まれている。よって、この構成により、撮影方向をより大きく変更することができるとともに、大きく変更した場合でも、各レンズの相対的な配置が換わらないので、映像の歪みも生じにくい。
【００７３】
また、この実施の形態のカメラ１によれば、タッチパネル１２の操作によって、ズームアップおよびズームダウンを行うこともできるので、ズームアップ、ズームダウンおよび撮影方向の変更といった撮影画像の構図の調整を一元的に行うことができる。
【００７４】
以上、本発明の各実施の形態について説明した。
【００７５】
なお、上記実施の形態では、操作部としてタッチパネルを採用した構成を例にとって説明したが、操作部としては方向キー等を採用してもよい。また、各駆動部としてモータを採用した構成を例にとって説明したが、駆動部としては電気的に駆動する様々なアクチュエータを採用することができる。また、屈曲素子としてはプリズムのほかミラーを採用することもできる。
【００７６】
また、上記実施の形態では、タッチ操作された箇所、または、タッチ操作された２点の中心箇所を、撮影画像の中央に移動させる制御を例にとって説明した。しかしながら、例えば、指をタッチしてスライドさせる操作が行われた場合に、指のスライド量に応じて撮影方向の変更量が決定される制御方法が採用されてもよい。また、２点をタッチ操作したのち、２点のタッチ位置をスライドさせる操作、または、２点のうち１点のタッチ位置をスライドさせる操作が行われた場合には、次のような制御が採用されてもよい。すなわち、タッチ位置の画像がタッチ位置からずれないように、タッチ位置のスライド操作に応じて、撮影方向およびズーム倍率を変更する制御が採用されてもよい。
【産業上の利用可能性】
【００７７】
本発明は、例えばデジタルスチルカメラ、デジタルビデオカメラ、又は、撮影機能を備えた携帯端末装置に適用できる。
【符号の説明】
【００７８】
１  カメラ
１１  ディスプレイ
１２  タッチパネル
１３  プロセッサ
２０  画像処理部
２３  プリズム制御部
３２  カメラ駆動用モータ
４０  カメラユニット
４１  プリズム駆動用モータ
５１  プリズム
５３  撮像部
【図１】
2013246313.tif 000003
【図２】
2013246313.tif 000004
【図３】
2013246313.tif 000005
【図４】
2013246313.tif 000006
【図５】
2013246313.tif 000007
【図６】
2013246313.tif 000008
【図７】
2013246313.tif 000009
【図８】
2013246313.tif 000010
【図９】
2013246313.tif 000011
【図１０】
2013246313.tif 000012